(57)【要約】      （修正有）【課題】時間や手間をかけなくても、センスの良い装飾が可能な画像印刷システム画像印刷方法及びプログラムを提供する。【解決手段】サーバは、印刷対象の画像データを読み込むステップＳ１と、画像データを解析し、キーワードを抽出するステップＳ２と、ステップＳ２において抽出されるキーワードに基づいて装飾テキストを決定するステップＳ３と、画像データを解析することによって、装飾テキストの配置位置を決定するステップＳ４と、画像データ内でステップＳ４において決定される配置位置に装飾テキストを配置するステップＳ５を有する。【選択図】図５
2019149709.tif 000002
【特許請求の範囲】
【請求項１】
画像データを解析することによってキーワードを抽出するキーワード抽出手段と、
前記キーワードに基づいて前記画像データを装飾する装飾テキストを決定する装飾テキスト決定手段と、
前記装飾テキストを前記画像データに配置する装飾テキスト配置手段と、
を備えることを特徴とする画像印刷システム。
【請求項２】
前記キーワードと前記装飾テキストが対応付けられている装飾テキストデータベース、を更に備え、
前記装飾テキスト決定手段は、前記装飾テキストデータベースから前記キーワードに対応する前記装飾テキストを検索する
ことを特徴とする請求項１に記載の画像印刷システム。
【請求項３】
前記装飾テキストデータベースには、更に、前記装飾テキストとフォント及び配色とが対応付けられており、
前記装飾テキスト配置手段は、前記フォント及び前記配色を用いて、前記装飾テキストを配置する
ことを特徴とする請求項２に記載の画像印刷システム。
【請求項４】
前記装飾テキスト配置手段は、テキストが挿入可能なテキストアイテムに前記装飾テキストを挿入し、前記テキストアイテムを前記画像データに配置する
ことを特徴とする請求項１から請求項３のいずれかに記載の画像印刷システム。
【請求項５】
前記装飾テキスト配置手段は、前記画像データを解析することによって、前記テキストアイテムの配置位置を決定する
ことを特徴とする請求項４に記載の画像印刷システム。
【請求項６】
コンピュータが、
画像データを解析することによってキーワードを抽出するステップと、
前記キーワードに基づいて前記画像データを装飾する装飾テキストを決定するステップと、
前記装飾テキストを前記画像データに配置するステップと、
を実行することを特徴とする画像印刷方法。
【請求項７】
画像データを解析することによってキーワードを抽出するステップと、
前記キーワードに基づいて前記画像データを装飾する装飾テキストを決定するステップと、
前記装飾テキストを前記画像データに配置するステップと、
を含む処理をコンピュータに実行させるためのプログラム。
【発明の詳細な説明】
【技術分野】
【０００１】
本発明は、画像データの印刷を行う画像印刷システム等に関するものである。
【背景技術】
【０００２】
従来から、利用者が所有する画像データの印刷を行う画像印刷システムが広く普及している。画像印刷システムの一つとして、複数の画像がレイアウトされたフォトブックを作成するフォトブック作成システムも知られている。
【０００３】
例えば、特許文献１には、絵柄の上に画像ボックス及びテキストボックスがレイアウトされたフォトブックのテンプレートに対して、利用者が画像データを選択したり、文字を入力したりして、絵本の世界観に合わせたレイアウトでオリジナルのフォトブックを作成することが可能なフォトブック作成システムが開示されている。
【先行技術文献】
【特許文献】
【０００４】
【特許文献１】特開２０１６−１８４１８号公報
【発明の概要】
【発明が解決しようとする課題】
【０００５】
ところで、画像印刷システムでは、画像データを文字や絵柄で装飾できるものがある。しかしながら、画像データの装飾は、時間や手間がかかる上に、センスの良い装飾ができないという不満を持っている人もいる。特許文献１に記載のフォトブック作成システムでは、利用者が文字を入力するので、文字を考える時間や入力する手間がかかる上に、センスの良い装飾ができるとは限らない。
【０００６】
本発明は、前述した問題点に鑑みてなされたものであり、その目的とすることは、時間や手間をかけなくても、センスの良い装飾が可能な画像印刷システム等を提供することである。
【課題を解決するための手段】
【０００７】
前述した目的を達成するための第１の発明は、画像データを解析することによってキーワードを抽出するキーワード抽出手段と、前記キーワードに基づいて前記画像データを装飾する装飾テキストを決定する装飾テキスト決定手段と、前記装飾テキストを前記画像データに配置する装飾テキスト配置手段と、を備えることを特徴とする画像印刷システムである。第１の発明によって、時間や手間をかけなくても、センスの良い装飾が可能となる。特に、センスの良い装飾テキストを配置することができる。
【０００８】
第１の発明は、前記キーワードと前記装飾テキストが対応付けられている装飾テキストデータベース、を更に備え、前記装飾テキスト決定手段は、前記装飾テキストデータベースから前記キーワードに対応する前記装飾テキストを検索するようにしても良い。これによって、装飾テキストを自動的に決定することができる。
【０００９】
また、第１の発明における前記装飾テキストデータベースには、更に、前記装飾テキストとフォント及び配色とが対応付けられており、前記装飾テキスト配置手段は、前記フォント及び前記配色を用いて、前記装飾テキストを配置するようにしても良い。これによって、適切なフォント及び配色で装飾テキストを配置することができる。
【００１０】
また、第１の発明における前記装飾テキスト配置手段は、テキストが挿入可能なテキストアイテムに前記装飾テキストを挿入し、前記テキストアイテムを前記画像データに配置するようにしても良い。これによって、見栄え良く装飾テキストを配置することができる。
【００１１】
また、第１の発明における前記装飾テキスト配置手段は、前記画像データを解析することによって、前記テキストアイテムの配置位置を決定するようにしても良い。これによって、主要な被写体と重ならないように装飾テキストを配置することができる。
【００１２】
第２の発明は、コンピュータが、画像データを解析することによってキーワードを抽出するステップと、前記キーワードに基づいて前記画像データを装飾する装飾テキストを決定するステップと、前記装飾テキストを前記画像データに配置するステップと、を実行することを特徴とする画像印刷方法である。第２の発明によって、時間や手間をかけなくても、センスの良い装飾が可能となる。特に、センスの良い装飾テキストを配置することができる。
【００１３】
第３の発明は、画像データを解析することによってキーワードを抽出するステップと、前記キーワードに基づいて前記画像データを装飾する装飾テキストを決定するステップと、前記装飾テキストを前記画像データに配置するステップと、を含む処理をコンピュータに実行させるためのプログラムである。第３の発明のプログラムを汎用のコンピュータにインストールすることによって、第１の発明の画像印刷システムを得ることができる。
【発明の効果】
【００１４】
本発明により、時間や手間をかけなくても、センスの良い装飾が可能な画像印刷システム等を提供することができる。
【図面の簡単な説明】
【００１５】
【図１】第１の実施形態に係る画像印刷システム１ａの概要を示す図
【図２】端末２のハードウエアの構成例を示す図
【図３】サーバ３のハードウエアの構成例を示す図
【図４】装飾テキストデータベース４の一例を示す図
【図５】画像印刷システム１ａの処理の流れを示すフローチャート
【図６】装飾テキスト配置処理を説明する図
【図７】装飾テキスト配置処理を説明する図
【図８】第２の実施形態に係る画像印刷システム１ｂの概要を示す図
【図９】画像印刷端末１００の外観斜視図
【図１０】画像印刷端末１００のハードウエアの構成例を示す図
【発明を実施するための形態】
【００１６】
以下図面に基づいて、本発明の実施形態を詳細に説明する。
【００１７】
＜第１の実施形態＞
図１は、第１の実施形態に係る画像印刷システム１ａの概要を示す図である。画像印刷システム１ａは、利用者が用いる端末２と、端末２とネットワーク９を介して接続されるサーバ３と、によって構成され、画像を印刷するシステムである。
【００１８】
画像印刷システム１ａは、画像データやテキストを含む印刷データを用紙の片面に印刷し、印刷物として出力する。印刷データは、コンピュータ又は利用者が、画像に対して文字を挿入したり、装飾したりして作成されるデータである。
【００１９】
端末２は、ネットワーク９を介して、画像データをサーバ３にアップロードする。また、端末２は、ウェブページの閲覧ソフトが予めインストールされており、閲覧ソフトを介して、画像編集の操作や画像印刷の注文を受け付ける。
【００２０】
サーバ３は、端末２から画像データを受信し、記憶する。また、サーバ３は、端末２が受け付ける画像編集の操作に従い、印刷データを作成する。そして、サーバ３は、端末２が受け付ける画像印刷の注文に従い、不図示の印刷機に印刷データを送信する。印刷機は、印刷データの印刷を行い、印刷物として出力する。その後、印刷物は利用者に送付される。尚、印刷機の種類は問わず、大型のオンデマンドプリンタによる印刷でもよい。
【００２１】
ネットワーク９は、インターネットやローカルエリアネットワーク（ＬＡＮ）等のネットワークであり、有線、無線は特に問わない。
【００２２】
前述の説明では、サーバ３が印刷データを作成するものとしたが、端末２が印刷データを作成しても良い。この場合、端末２は、画像印刷アプリケーションが予めインストールされており、利用者から、画像印刷アプリケーション上で、画像編集の操作や画像印刷の注文を受け付け、印刷データを作成する。そして、端末２は、利用者から画像印刷の注文を受け付けると、ネットワーク９を介して、印刷データをサーバ３へ送信する。以下では混乱を避けるために、サーバ３が印刷データを作成するものとして説明する。
【００２３】
図２は、端末２のハードウエアの構成例を示す図である。図２に示すように、端末２は、制御部２１、記憶部２２、入力部２３、表示部２４及び通信制御部２５等がバス２６を介して接続される。
【００２４】
制御部２１は、ＣＰＵ（Central Processing Unit）、ＲＯＭ（Read Only Memory）、ＲＡＭ（Random Access Memory）等によって構成される。ＣＰＵは、記憶部２２、ＲＯＭ、記録媒体等に格納されるプログラムをＲＡＭ上のワークメモリ領域に呼び出して実行し、バス２６を介して接続された各装置を駆動制御し、端末２が行う後述する処理を実現する。ＲＯＭは、不揮発性メモリであり、コンピュータのブートプログラムやＢＩＯＳ等のプログラム、データ等を恒久的に保持している。ＲＡＭは、揮発性メモリであり、記憶部２２、ＲＯＭ、記録媒体等からロードしたプログラム、データ等を一時的に保持するとともに、制御部２１が各種処理を行う為に使用するワークエリアを備える。
【００２５】
記憶部２２は、フラッシュメモリ、ＨＤＤ（Hard Disk Drive）等であり、制御部２１が実行するプログラム、プログラム実行に必要なデータ、ＯＳ（Operating System）等が格納される。プログラムに関しては、ＯＳに相当する制御プログラムや、後述する処理をコンピュータに実行させるためのアプリケーションプログラムが格納されている。これらの各プログラムコードは、制御部２１により必要に応じて読み出されてＲＡＭに移され、ＣＰＵに読み出されて各種の手段として実行される。
【００２６】
入力部２３は、データの入力を行い、例えば、タッチパネル、キーボード、マウス等のポインティングデバイス、テンキー等の入力装置を有する。利用者は、入力部２３を介して、端末２に対して、操作指示、動作指示、データ入力等を行うことができる。表示部２４は、液晶パネル等のディスプレイ装置、ディスプレイ装置と連携してコンピュータのビデオ機能を実現するための論理回路等（ビデオアダプタ等）を有する。尚、入力部２３及び表示部２４は、タッチパネルディスプレイのように、一体となっていても良い。
【００２７】
通信制御部２５は、通信制御装置、通信ポート等を有し、コンピュータとネットワーク間の通信を媒介する通信インタフェースであり、ネットワークを介して、他のコンピュータ間との通信制御を行う。ネットワークは、有線、無線を問わない。バス２６は、各装置間の制御信号、データ信号等の授受を媒介する経路である。
【００２８】
図３は、サーバ３のハードウエアの構成例を示す図である。図３に示すように、サーバ３は、制御部３１、記憶部３２、入力部３３、表示部３４及び通信制御部３５等がバス３６を介して接続される。サーバ３の制御部３１、記憶部３２、入力部３３、表示部３４、通信制御部３５及びバス３６の詳細は、前述の端末２の制御部２１、記憶部２２、入力部２３、表示部２４、通信制御部２５及びバス２６と同様であるため、説明を省略する。
【００２９】
図４は、装飾テキストデータベース４の一例を示す図である。装飾テキストは、画像データを装飾するテキスト（文字列）である。図４に示すように、装飾テキストデータベース４のデータ項目は、データを識別するＩＤ４１、画像データに配置される装飾テキスト４２、装飾テキスト４２と対応付けられている第１キーワード４３及び第２キーワード４４、装飾テキスト４２のフォント４５、装飾テキスト４２の配色４６等を含む。尚、キーワードの数は、２個に限定されるものではない。
【００３０】
例えば、ＩＤ４１が「１」のデータは、装飾テキスト４２が「fun! fun! fun!」であり、第１キーワード４３が「Fun」、第２キーワード４４が「Smile」、フォント４５が「子供手書き風」、配色４６が「画像の近似色」である。装飾テキスト４２には、画像の内容がセンス良く示される単語やフレーズ、話し言葉等が登録される。
【００３１】
図５は、画像印刷システム１ａの処理の流れを示すフローチャートである。端末２は、予めサーバ３に画像データを送信し、サーバ３は、端末２から受信する画像データを記憶しておく。
【００３２】
図５に示すように、サーバ３は、印刷対象の画像データを読み込み（ステップＳ１）、画像データを解析し、キーワードを抽出する（ステップＳ２）。
【００３３】
画像データの解析は、公知の技術を用いることができる。例えば、画像データの解析技術として、Google Cloud Vision APIを用いることができる。Google
Cloud Vision APIによれば、画像に含まれる物体を検出し、花、動物、乗り物などの物体カテゴリに分類（＝カテゴリ分類）したり、画像全体から撮影シーンを解析し、Child、Snapshot、Girl、Fun、Vacation、Recreationなどのラベルを検出（＝ラベル検出）したり、一般的な自然のランドマークや人工建造物を検出（＝ランドマーク検出）したり、ウェブを検索して画像に関連するラベルを検出（＝ウェブエンティティ検出）したりすることができる。サーバ３は、Google Cloud Vision APIの技術によって画像から得られる物体カテゴリ、ラベル、ランドマークなどをキーワードとして抽出する。
【００３４】
尚、Google Cloud Vision APIによって得られる物体カテゴリ、ラベル、ランドマークなどが英語の場合、公知の自動翻訳技術を用いて日本語に変換してからキーワードとして抽出しても良いし、装飾テキストデータベース４に記憶されるキーワードを英語とし、英語のままキーワードとして抽出しても良い。
【００３５】
次に、サーバ３は、ステップＳ２において抽出されるキーワードに基づいて装飾テキストを決定する（ステップＳ３）。具体的には、サーバ３は、装飾テキストデータベース４からキーワードに対応する装飾テキストを検索する。
【００３６】
例えば、サーバ３は、ステップＳ２において抽出されるキーワードと、装飾テキストデータベース４の第１キーワード４３や第２キーワード４４が合致する装飾テキスト４２を取得するようにしても良い。但し、装飾テキストデータベース４の検索方法はこの例に限定されるものではない。
【００３７】
次に、サーバ３は、画像データを解析することによって、装飾テキストの配置位置を決定し（ステップＳ４）、画像データ内でステップＳ４において決定される配置位置に装飾テキストを配置する（ステップＳ５）。ステップＳ４における画像解析では、サーバ３は、人物や動物、人物の顔などの主要な被写体を検出し、主要な被写体の位置に基づいて装飾テキストの配置位置を決定する。主要な被写体の検出は、公知の技術を用いることができる。例えば、顔の検出については、Google Cloud Vision APIを用いることができる。そして、サーバ３は、テキストが挿入可能なテキストアイテムを決定し、装飾テキストをテキストアイテムに挿入し、テキストアイテムを画像データに配置する。ここで、サーバ３は、装飾テキストデータベース４のフォント４５及び配色４６を用いて、装飾テキストを配置する。
【００３８】
テキストアイテムの決定については、例えば、サーバ３は、予め装飾テキストデータベース４の装飾テキスト４２ごとに１つのテキストアイテムを対応付けて記憶しておき、テキストアイテムを自動的に決定しても良い。また、例えば、サーバ３は、予め装飾テキストデータベース４の装飾テキスト４２ごとに複数のテキストアイテムを対応付けて記憶しておき、複数のテキストアイテムを端末２に表示させ、利用者に選択させることによって、テキストアイテムを決定しても良い。
【００３９】
また、装飾テキストの色については、例えば、サーバ３は、画像データを解析し、画像データの配色全体の印象を支配する色であるドミナントカラーを検出し、ドミナントカラーに基づいて、装飾テキストデータベース４に対応付けられている配色４６の「画像の近似色」又は「画像の反対色」（図４参照）を決定するようにしても良い。ドミナントカラーの検出は、公知の技術を用いることができ、例えば、Google Cloud Vision APIを用いることができる。
【００４０】
図６、図７は、装飾テキスト配置処理を説明する図である。図６（ａ）及び図７（ａ）が装飾テキスト配置処理の第１の例、図６（ａ）及び図７（ａ）が装飾テキスト配置処理の第２の例を示している。図６は装飾前の画像データ５ａ及び５ｂを示し、図７は装飾テキストを配置した後の装飾結果６ａ及び６ｂを示している。
【００４１】
第１の例における装飾テキストは「fun! fun! fun!」、テキストアイテムはリボンアイテム６１ａである（図７（ａ）参照）。サーバ３は、画像データ５ａを解析し、３人の子供を主要な被写体として検出する。次に、図６（ａ）に示すように、サーバ３は、３人の子供を含む最小の矩形領域５１ａを特定する。そして、図７（ａ）に示すように、サーバ３は、画像データ内で矩形領域５１ａを除く領域にリボンアイテム６１ａが収まるように配置位置を決定し、装飾テキスト「fun! fun! fun!」に対応付けられている装飾テキストデータベース４のフォント４５「子供手書き風」及び配色４６「画像の近似色」（図４参照）を用いて、リボンアイテム６１ａ内に装飾テキスト「fun! fun! fun!」を配置する。
【００４２】
第２の例における装飾テキストは「Yummy!」、テキストアイテムは吹き出しアイテム６１ｂである（図７（ｂ）参照）。サーバ３は、画像データ５ｂを解析し、子供の顔を主要な被写体として検出する。次に、図６（ｂ）に示すように、サーバ３は、子供の顔を含む最小の矩形領域５１ｂを特定する。そして、図７（ｂ）に示すように、サーバ３は、画像データ内で矩形領域５１ｂを除く領域に吹き出しアイテム６１ｂが収まるように配置位置を決定し、装飾テキスト「Yummy!」に対応付けられている装飾テキストデータベース４のフォント４５「子供手書き風」及び配色４６「画像の反対色」（図４参照）を用いて、吹き出しアイテム６１ｂ内に装飾テキスト「Yummy!」を配置する。
【００４３】
図５の説明に戻る。サーバ３は、印刷対象の全ての画像データについて処理が終了したか否か確認する（ステップＳ６）。処理が終了していない場合（ステップＳ６のＮｏ）、サーバ３は、ステップＳ２から処理を繰り返す。処理が終了している場合（ステップＳ６のＹｅｓ）、サーバ３は、装飾結果を端末２に送信し、端末２は、装飾結果を表示する（ステップＳ７）。この後、端末２は、利用者から装飾結果の編集や画像印刷の注文を受け付ける。そして、端末２は、注文データ及び印刷データをサーバ３に送信する。サーバ３は、注文データ及び印刷データを受信し、印刷機に印刷データを送信する。
【００４４】
＜第２の実施形態＞
図８は、第２の実施形態に係る画像印刷システム１ｂの概要を示す図である。画像印刷システム１ｂは、画像を印刷する画像印刷端末１００に、携帯端末２００又は記憶媒体３００が接続されることで構成される。
【００４５】
画像印刷端末１００は、店頭等に設置され、利用者により接続される携帯端末２００又は記憶媒体３００等から画像データを取得して内部に保持した後、利用者から画像編集の操作を受け付け、印刷データを作成する。そして、画像印刷端末１００は、利用者から画像印刷の注文を受け付けると、印刷データを印刷して、印刷物として出力する。
【００４６】
携帯端末２００は、例えば、スマートフォン、カメラ付き携帯電話機、タブレット端末、携帯型パーソナルコンピュータ等の携帯型端末である。ユーザは、携帯端末２００の内部に記憶されている画像データを、例えば、Bluetooth（登録商標）、赤外線通信、有線ケーブル等の通信方法を用いて画像印刷端末１００に転送し、画像印刷の際に利用する。
【００４７】
記憶媒体３００は、例えば、Blue-Ray Disk／DVD-ROM／CD-ROM／CD-R／CD-RW、コンパクトフラッシュ（登録商標）、SD（Secure Digital）カード、ミニSDカード、マイクロSDカード、xD−ピクチャーカード、SmartMedia（登録商標）、MEMORY STICK（登録商標）、USB（Universal Serial Bus）メモリ等である。
【００４８】
図９は、画像印刷端末１００の外観斜視図である。画像印刷端末１００の上部正面には、タッチパネル付ディスプレイ１１１が配置されている。タッチパネル付ディスプレイ１１１は、操作の案内、操作の状況、読み込んだ画像データ等を表示するとともに、ユーザからの指示を受け付ける。ユーザは、タッチパネル付ディスプレイ１１１を介して、印刷注文する画像データの選択、および画像データの画像処理の指示等を行う。
【００４９】
タッチパネル付ディスプレイ１１１の下部には、メディア投入口１１２および通信口１１３が設けられている。メディア投入口１１２は、各メディアの挿入口であり、複数の挿入口が１箇所にまとめて配置されている。通信口１１３は、各携帯端末と通信を行うための通信ポートであり、複数の通信ポート（赤外線ポートやUSBポートなど）が１箇所にまとめて配置されている。
【００５０】
画像印刷端末１００の下段部の前面板１１４には、レシート取出口１１５、硬貨投入口１１６および紙幣挿入口１１７のような料金投入口、つり銭返却口１１８、印刷物取出口１１９、ドア開閉キー１２０、メンテナンスキー１２１等が設けられている。
【００５１】
レシート取出口１１５、硬貨投入口１１６、紙幣挿入口１１７、つり銭返却口１１８は、ユーザによる印刷物の注文内容に応じた入金を要求する課金手段として機能する。ユーザは、硬貨投入口１１６に硬貨を投入したり、紙幣挿入口１１７に紙幣を挿入したりすることにより、印刷物の料金を支払う。つり銭がある場合には、つり銭返却口１１８から放出される。また、料金徴収後、徴収金額や注文内容等が印刷されたレシートがレシート取出口１１５から放出される。
【００５２】
印刷物取出口１１９には、画像印刷端末１００の筐体内に設置されるプリンタにより印刷され、印刷物が排出される。ドア開閉キー１２０は、画像印刷端末１００の前面板１１４を開閉するためのキーである。メンテナンスキー１２１は、ユーザが画像印刷端末１００を利用可能な運転モードと、管理者が画像印刷端末１００のメンテナンスや設定、レシートの再印刷等を行う管理モードを切り替えるためのキーである。
【００５３】
図１０は、画像印刷端末１００のハードウエアの構成例を示す図である。図１０に示すように、コンピュータ１３０は、制御部１３１、記憶部１３２、入出力部１３３、通信部１３４等から構成され、各種メディア読取部１４１、通信部１４２、モニタ１４４、コインメック１４５、ビルバリ１４６、レシートジャーナル処理部１４７、およびプリンタ１４８を制御する。
【００５４】
制御部１３１は、プログラムの実行を行うCPU（Central processing Unit）と、プログラム命令あるいはデータ等を格納するためのRAM（Random Access Memory）、ROM（Read Only Memory）等で構成される。制御部１３１は、記憶部１３２等に格納されたプログラムに従って、バス１３５を介して接続された各装置を制御する。
【００５５】
記憶部１３２には、制御部１３１が実行するプログラム、プログラム実行に必要なデータ、OS（Operating System）等が格納される。プログラムは、例えば、画像入力プログラム、課金処理プログラム、レシート印刷処理プログラム、保守プログラム等である。データは、例えば、画像データや印刷データ等である。
【００５６】
プログラムのコードは、制御部１３１により必要に応じて読み出され、RAMに移され、CPUに読み出されて各種機能として実行される。
【００５７】
入出力部１３３は、記憶部１３２に格納されているプログラム等の更新や、画像印刷端末１００の設定等を行うメンテナンス時に用いられる。
【００５８】
通信部１３４は、通信制御装置、通信ポートや有線ケーブル等を有し、画像印刷端末１００と携帯端末２００の通信を媒介する通信インタフェースである。通信部１３４は、画像印刷端末１００と携帯端末２００間の通信制御を行う。
【００５９】
各種メディア読取部１４１は、メディア投入口１１２の各メディアの挿入口に対応して画像印刷端末１００内部に設けられ、挿入された記憶媒体３００に予め記憶されている画像データを読み込む。通信部１４２は、通信口１１３の各通信ポートに対応して設置されており、通信中の携帯端末２００に予め記憶されている画像データを読み込む。モニタ１４４は、タッチパネル付ディスプレイ１１１である。
【００６０】
コインメック１４５、ビルバリ１４６、レシートジャーナル処理部１４７は、課金機能の役割を果たす。コインメック１４５は、硬貨投入口１１６に対応して画像印刷端末１００内部に設けられ、硬貨の入出力を管理する。ビルバリ１４６は、紙幣挿入口１１７に対応して画像印刷端末１００内部に設けられ、紙幣の入出力を管理する。
【００６１】
レシートジャーナル処理部１４７は、レシート取出口１１５に対応して画像印刷端末１００内部に設けられ、ユーザの徴収金額や注文内容に応じたレシートを印刷する。
【００６２】
プリンタ１４８は、印刷物取出口１１９に対応して画像印刷端末１００内部に設けられ、印刷物を印刷する。プリンタ１４８は、画像データを印刷する高解像度カラープリンタであり、熱転写プリンタあるいはインクジェット型など、プリンタの方式は特に問わない。印刷する記録媒体は、シート状またはロール状の紙である。
【００６３】
なお、プリンタ１４８は、画像印刷端末１００内部に設けられ、そこで印刷が行われるが、これに限らず、例えば、通信部１３４およびネットワーク９を介して接続されたプリンタサーバに画像データを転送し、そこで印刷を行わせることも可能である。すなわち、画像印刷端末１００とプリンタ１４８は別体であってもよい。
【００６４】
第２の実施形態に係る画像印刷システム１ｂの処理の詳細は、第１の実施形態に係る画像印刷システム１ａと同様である。すなわち、画像印刷端末１００が、図４に示す装飾テキストデータベース４を予め記憶し、図５に示すフローチャートの処理を実行する。
【００６５】
以上、本発明の実施形態によれば、時間や手間をかけなくても、センスの良い装飾が可能な画像印刷システム等を提供することができる。特に、センスの良い装飾テキストを配置することができる。
【００６６】
本発明は、１枚ずつ画像を印刷する狭義の画像印刷システムに限らず、利用者が所有する画像データの印刷を行う広義の画像印刷システムに適用可能である。例えば、広義の画像印刷システムには、複数の画像がレイアウトされたフォトブックを作成するフォトブック作成システムが含まれる。フォトブック作成システムの場合、フォトブックの表紙、前扉、見開き頁及び後扉等に配置される各画像データに対して本発明が機能する。
【００６７】
以上、添付図面を参照しながら、本発明に係る画像印刷システム等の好適な実施形態について説明したが、本発明はかかる例に限定されない。当業者であれば、本願で開示した技術的思想の範疇内において、各種の変更例又は修正例に想到し得ることは明らかであり、それらについても当然に本発明の技術的範囲に属するものと了解される。
【符号の説明】
【００６８】
１ａ、１ｂ：画像印刷システム
２：端末
３：サーバ
４：装飾テキストデータベース
５ａ、５ｂ：画像データ
６ａ、６ｂ：装飾結果
５１ａ、５１ｂ：矩形領域
６１ａ：リボンアイテム（テキストアイテム）
６１ｂ：吹き出しアイテム（テキストアイテム）
１００：フォトブック作成端末
２００：携帯端末
３００：記憶媒体
【図１】
2019149709.tif 000003
【図２】
2019149709.tif 000004
【図３】
2019149709.tif 000005
【図４】
2019149709.tif 000006
【図５】
2019149709.tif 000007
【図６】
2019149709.tif 000008
【図７】
2019149709.tif 000009
【図８】
2019149709.tif 000010
【図９】
2019149709.tif 000011
【図１０】
2019149709.tif 000012